【手続補正書】
【提出日】令和2年1月27日(2020.1.27)
【手続補正１】
【補正対象書類名】明細書
【補正対象項目名】０３４１
【補正方法】変更
【補正の内容】
【０３４１】
本開示は以下の実施形態を含む。
［１］
標的物質の存在を検出するための装置であって、
標的物質との相互作用を検出するとシグナルを表示するように構成されたインジケータを含む検出層を含む、
装置。
［２］
検出層の上面に連結された上層であって、検出層の少なくとも一部を曝す少なくとも1つの開口部を含む、上層；および
検出層の底面に連結された底層
をさらに含む、［1］に記載の装置。
［３］
検出層の上面に連結された取り外し可能な層であって、取り外し可能な層を取り外すと検出層の少なくとも一部が外部環境に曝されるように構成された、取り外し可能な層
をさらに含む、［1］または［2］に記載の装置。
［４］
検出層が、クロマトグラフィー膜パッドおよびサンプルパッドを含む、［1］から［3］のいずれか一項に記載の装置。
［５］
クロマトグラフィー膜パッドが、サンプルパッドの一部と重なる、［4］に記載の装置。
［６］
クロマトグラフィー膜がマーカーをさらに含む、［4］から［6］のいずれか一項に記載の装置。
［７］
マーカーが、カルボキシフルオレセイン、2,7-ジクロロフルオレセイン、Eosin B、Eosin Y、エリスロシン、フルオレセイン、フルオレセインアミダイト、フルオレセインイソシアネート、金ナノ粒子、粒子、アプタマー、抗体、メルブロミン、フロキシンB、Rose Bengal、それらの誘導体および塩、またはそれらの組合せを含む、［6］に記載の装置。
［８］
検出層が吸収パッドをさらに含む、［1］から［7］のいずれか一項に記載の装置。
［９］
検出層がラテラルフローアッセイを含む、［1］から［8］のいずれか一項に記載の装置。
［１０］
変形、崩壊、折れ、または突き刺しに耐える十分な構造強度を有する、［1］から［9］のいずれか一項に記載の装置。
［１１］
上層が、アクリロニトリルブタジエンスチレン、アクリロニトリルブタジエンスチレンとポリカーボネートのアロイ、アセタールポリオキシメチレン、液晶ポリマー、ナイロン6-ポリアミド、ナイロン6/6-ポリアミド、ナイロン11-ポリアミド、ポリブチレンテレフタレートポリエステル、ポリカーボネート、ポリエーテルイミド、ポリエチレン、低密度ポリエチレン、高密度ポリエチレン、ポリエチレンテレフタレートポリエステル、ポリプロピレン、ポリフタルアミド、ポリフェニレンスルフィド、ポリスチレン結晶、高衝撃性ポリスチレン、ポリスルホン、ポリ塩化ビニル、ポリフッ化ビニリデン、スチレンアクリロニトリル、熱可塑性エラストマー、熱可塑性ポリウレタンエラストマー、環状オレフィンコポリマー、またはスチレンブタジエンコポリマーのうちの少なくとも1つを含むポリマー材料を含む、［1］から［10］のいずれか一項に記載の装置。
［１２］
天然爪、人工爪、マニキュア層、ネイルシール、ネイルデカール、シール、カップ、バーコースター、マドラー、爪楊枝、ドリンクの飾り、鉛筆、ペン、リング、ブレスレット、ネックレス、チャーム、および紐のうちの少なくとも1つの上、中、または下に配置されることができる、［1］から［11］のいずれか一項に記載の装置。
［１３］
液体中の標的物質の存在を検出する方法であって、
［1］から［12］のいずれか一項に記載の装置を用意すること;
装置の一部を液体に曝すこと;および
標的物質の有無を判断するために視覚指示を観察すること
を含む、方法。
［１４］
標的物質が、違法薬物、アミン含有化合物、ベンゾジアゼピン、分析物、麻薬、アルコール、デートレイプ薬、殺有害生物剤、ステロイド、ステロイド代謝産物、細菌、病原体、真菌、毒物、毒素、化学兵器剤、環境毒物、爆発物、爆発物前駆体材料、低分子混合物、金属、揮発性有機物、アレルゲン、タンパク質、および糖類のいずれか1つを含む、［13］に記載の方法。
［１５］
液体が、ビール、シードル、栄養飲料、フレーバー飲料、フルーツ飲料、リカー、アルコール飲料、乳、乳含有飲料、ソーダ、スポーツ飲料、野菜飲料、水、ワイン、血液、非飲料水、有機溶媒、飲料水、血清、処理廃水、未処理廃水、尿、嘔吐物、およびそれらの組合せのいずれか1つを含む、［13］または［14］に記載の方法。
［１６］
標的物質の存在を検出するための装置を製造する方法であって、
標的物質の存在を検出するように構成された検出層を用意すること;
検出層の上面に上層を連結すること;および
検出層の底面に底層を連結すること
を含む、方法。
［１７］
上層に作動手段を連結することをさらに含む、［16］に記載の方法。
［１８］
検出層の1つまたは複数の場所にマーカー組成物を付与することをさらに含む、［16］または［17］に記載の方法。
添付の特許請求の範囲の装置、システム、および方法は、特許請求の範囲の数個の態様の例示として意図される、本明細書に記載の特定の装置、システム、および方法によって範囲が限定されず、機能的に同等な任意の装置、システム、および方法が、特許請求の範囲の範囲内に入ることが意図される。本明細書に示され、記載されるものに加えて、装置、システム、および方法の様々な変更形態が添付の特許請求の範囲の範囲内に入ることが意図される。さらに、ある特定の代表的な装置およびシステム要素および方法ステップのみが、本明細書で開示され、具体的に記載されているが、装置およびシステム要素および方法ステップの他の組合せも、たとえ具体的に示されていなくても、添付の特許請求の範囲の範囲内に入ることが意図される。したがって、ステップ、成分、構成成分、または構成要素の組合せが、本明細書で明示的に記述され得るが、ステップ、成分、構成成分、および構成要素の他の組合せが、たとえ明示的に述べられていなくても、含まれる。本明細書で使用される場合、用語「含む(comprising)」およびその変化形は、用語「含む(including)」およびその変化形と同義に使用され、オープンで、非限定的な用語である。用語「含む(comprising)」および「含む(including)」は、本明細書において、様々な実施形態を記載するために使用されているが、用語「から本質的になる」および「からなる」を、本発明のより特定の実施形態を提供するために「含む(comprising)」および「含む(including)」の代わりに使用することができ、これもまた開示される。
【手続補正２】
【補正対象書類名】特許請求の範囲
【補正対象項目名】全文
【補正方法】変更
【補正の内容】
【特許請求の範囲】
【請求項１】
液体中の標的物質の存在を検出するための装置であって、
チャネルを含む底層と、
液体を受け入れるための検出層であって、前記チャネル中に配置され、標的物質が存在するまたは不在であることのシグナルを表示することができる、検出層と、
前記検出層上に配置され前記検出層または前記底層に連結された上層であって、前記検出層の一部の上に少なくとも１つの開口部を含む、上層と、
を含み、
前記装置における液体の同伴を実質的に防止する境界を含む、
装置。
【請求項２】
前記少なくとも１つの開口部は、前記装置の外にある流体がそれを通じて前記装置に進入し前記検出層に接触できる進入ポートである、請求項１に記載の装置。
【請求項３】
前記上層の少なくとも一部の上に配置された取り外し可能な層であって、前記取り外し可能な層を取り外すと前記検出層の少なくとも一部が外部環境に曝されるように構成された、取り外し可能な層
をさらに含む、請求項１または２に記載の装置。
【請求項４】
前記装置内の気体のための排気口を提供する開口部をさらに含む、請求項１から３のいずれか一項に記載の装置。
【請求項５】
前記検出層は検出層はラテラルフローアッセイを含む、請求項１から４のいずれか一項に記載の装置。
【請求項６】
前記検出層が、クロマトグラフィー膜パッド、サンプルパッド、コンジュゲートパッド、および吸収パッドを含み、
前記サンプルパッドは、前記コンジュゲートパッドへと液体を移すように構成され、
前記コンジュゲートパッドは、前記クロマトグラフィー膜パッドへと液体を移すように構成され、
前記クロマトグラフィー膜パッドは、マーカーを含み、前記サンプルパッドの一部と重なり、前記吸収パッドへと液体を移すように構成され、
前記吸収パッドは、前記クロマトグラフィー膜パッドの一部と重なって、前記クロマトグラフィー膜パッドから液体を引き入れるように構成され、
前記マーカーは、標的物質を検出するとシグナルを表示するように構成され、
前記シグナルは、標的物質が存在するまたは不在であることの視覚指示である、
請求項１から５のいずれか一項に記載の装置。
【請求項７】
前記マーカーが、カルボキシフルオレセイン、2,7-ジクロロフルオレセイン、Eosin B、Eosin Y、エリスロシン、フルオレセイン、フルオレセインアミダイト、フルオレセインイソシアネート、金ナノ粒子、粒子、アプタマー、抗体、メルブロミン、フロキシンB、Rose Bengal、それらの誘導体および塩、またはそれらの組合せを含む、請求項６に記載の装置。
【請求項８】
前記シグナルは、色付きのドットもしくは領域の出現、色付きの領域の出現の不在、パターンの完成、線の完成、ロゴの完成、記号の完成、語の印字、チェックマーク、エモーティコン、記号、蛍光、振動、または音のうちのいずれか１つを含む、請求項６または７に記載の装置。
【請求項９】
前記シグナルは、電気化学検出、分析物の存在下での重合もしくは解重合、吸熱反応、発熱反応の開始、ヒドロゲル形成、または電子デバイス支援定量化のうちのいずれか１つによって生じる、請求項６から８のいずれか一項に記載の装置。
【請求項１０】
前記標的物質は、アミン含有化合物、ベンゾジアゼピン、麻薬、アルコール、デートレイプ薬、殺有害生物剤、ステロイド、ステロイド代謝産物、細菌、病原体、真菌、毒物、毒素、爆発物、爆発物前駆体材料、金属、タンパク質、および糖類のうちのいずれか１つを含む、請求項１から９のいずれか一項に記載の装置。
【請求項１１】
前記液体が、ビール、シードル、栄養飲料、フレーバー飲料、フルーツ飲料、リカー、アルコール飲料、乳、乳含有飲料、ソーダ、スポーツ飲料、野菜飲料、水、ワイン、血液、非飲料水、有機溶媒、飲料水、血清、処理廃水、未処理廃水、尿、汗、嘔吐物、およびそれらの組合せのうちのいずれか１つを含む、請求項１から１０のいずれか一項に記載の装置。
【請求項１２】
前記底層が、アクリロニトリルブタジエンスチレン、アクリロニトリルブタジエンスチレンとポリカーボネートのアロイ、アセタールポリオキシメチレン、液晶ポリマー、ナイロン6-ポリアミド、ナイロン6/6-ポリアミド、ナイロン11-ポリアミド、ポリブチレンテレフタレートポリエステル、ポリカーボネート、ポリエーテルイミド、ポリエチレン、低密度ポリエチレン、高密度ポリエチレン、ポリエチレンテレフタレートポリエステル、ポリプロピレン、ポリフタルアミド、ポリフェニレンスルフィド、ポリスチレン結晶、高衝撃性ポリスチレン、ポリスルホン、ポリ塩化ビニル、ポリフッ化ビニリデン、スチレンアクリロニトリル、熱可塑性エラストマー、熱可塑性ポリウレタンエラストマー、環状オレフィンコポリマー、またはスチレンブタジエンコポリマーのうちの少なくとも1つを含むポリマー材料を含む、請求項１から１１のいずれか一項に記載の装置。
【請求項１３】
前記装置は、前記検出層に影響せずに液体中に完全に浸漬可能である、請求項１から１２のいずれか一項に記載の装置。
【請求項１４】
１つ以上の物体の上、中、または下に配置されることができる、請求項１から１３のいずれか一項に記載の装置。
【請求項１５】
前記１つ以上の物体は、カップ、ストロー、バーコースター、マドラー、ドリンクの飾り、チャーム、シール、および紐のうちの少なくとも１つを含む、請求項１４に記載の装置。
【請求項１６】
装置を使用して液体媒体中の標的物質の存在を検出する方法であって、
請求項１から１５のいずれか一項に記載の装置を用意すること；
前記装置の一部を前記液体に接触させること；および
標的物質の有無を判断するために指示を観察すること
を含む、方法。
【請求項１７】
前記標的物質が、アミン含有化合物、ベンゾジアゼピン、麻薬、アルコール、デートレイプ薬、殺有害生物剤、ステロイド、ステロイド代謝産物、細菌、病原体、真菌、毒物、毒素、化学兵器剤、環境毒物、爆発物、爆発物前駆体材料、低分子混合物、金属、揮発性有機物、アレルゲン、タンパク質、および糖類のいずれか1つを含む、請求項１６に記載の方法。
【請求項１８】
前記液体が、ビール、シードル、栄養飲料、フレーバー飲料、フルーツ飲料、リカー、アルコール飲料、乳、乳含有飲料、ソーダ、スポーツ飲料、野菜飲料、水、ワイン、血液、非飲料水、有機溶媒、飲料水、血清、処理廃水、未処理廃水、尿、嘔吐物、およびそれらの組合せのうちのいずれか1つを含む、請求項１６または１７に記載の方法。
【請求項１９】
液体媒体中の標的物質の存在を検出するための装置を製造する方法であって、
標的物質の有無を検出するように構成された検出層を用意すること；
前記検出層を底層に連結すること；および
前記検出層の上に上層を連結すること
を含み、
前記装置は物体の上、中、または下に配置されることができる、
方法。
【請求項２０】
取り外し可能な層を前記装置に連結することをさらに含み、前記取り外し可能な層は前記上層の少なくとも一部を覆う、請求項１９に記載の方法。